(57)【特許請求の範囲】
【請求項１】
一対の用紙ガイド体を備え、装置本体を開放可能とする開閉扉の内面側に配置されて当該開閉扉と一体的に回動される可動搬送路と、前記装置本体の内部側に固定的に配置された固定搬送路とが連続することにより形成される用紙搬送路を通してシート状記録材を所望の位置まで搬送するように構成されたものであって、
前記開閉扉が、前記装置本体の高さ方向に延在する縦方向回転軸を中心として略水平面内において回動可能に取り付けられ、
前記用紙搬送路は、前記可動搬送路の幅方向両端縁のうち、前記開閉扉の回動半径方向の外方側に位置する外端側部分に、前記開閉扉の回動半径方向の内方側に位置する内端側部分よりも大きい搬送隙間が形成される位置関係でシート状記録材を搬送し、
更に、前記可動搬送路の前記一対の用紙ガイド体のうち、前記開閉扉を開放したときに外方に位置する用紙ガイド体は、当該用紙ガイド体の上端側で前記可動搬送路の幅方向に延在する回動支軸から下方側に垂下するように配置され、且つ前記回動支軸を中心に前記一対の用紙ガイド体のうちの他方の用紙ガイド体に対して離間する方向に揺動可能であることを特徴とする画像形成装置。
【発明の詳細な説明】
【技術分野】
【０００１】
本発明は、装置本体に設けられた開閉扉に用紙搬送路の一部が配置された画像形成装置に関する。
【背景技術】
【０００２】
電子写真方式等を採用したプリンタ装置、複写機、ファクシミリ装置等などのような各種画像形成装置においては、画像形成に用いるシート状記録材を所望の位置まで搬送するように多くの用紙搬送路が配置されているが、その用紙搬送路の一部を開閉扉に設けて開閉扉の回動とともに記録材を挟持搬送するローラが開放される可動搬送路の構成が知られている（例えば下記の特許文献１参照）。このような開閉扉と一体的に開放される可動搬送路を採用すれば、用紙搬送路の開放性が大きくなることから、いわゆるジャム処理等におけるユーザ操作性が向上されることとなる。一方、開閉扉の搬送路が開放されずに、停止した記録材を固定したままだと、開閉扉を開くことが難しい。
【０００３】
ここで、開閉扉とともに可動搬送路を開放してジャム処理を行う際に、装置本体側に固定的に設けられた固定搬送路に対してシート状記録媒体が把持されたままになっている場合には、開閉扉とともに可動搬送路を開放するにしたがって、シート状記録媒体は、固定搬送路側に把持されながら可動搬送路をすり抜けていくこととなる。
【０００４】
ところが、このようにしてシート状記録媒体が可動搬送路をすり抜ける際に、可動搬送路の端縁部分にシート状記録媒体が絡み合ってしまうことがある。例えば、開閉扉が装置本体の高さ方向に延在する縦方向回転軸に取り付けられていることによって当該開閉扉が略水平面内で回動するように構成されている場合には、その開閉扉の回動角度が大きくなるにしたがってシート状記録材が回動半径方向の外方側に向かって相対移動することとなる。そして、さらに開閉扉の開放動作を継続すると、開閉扉の回動半径外端縁部分がシート状記録材の外端縁に当接して皺が発生し、最終的にはシート状記録材が搬送路に噛み込んだジャム状態となって開閉扉の開放動作が不可能となるおそれもある。
【０００５】
【特許文献１】特開平９−１４６３２２号公報
【特許文献２】特開２００５−７００７０号公報
【発明の開示】
【発明が解決しようとする課題】
【０００６】
そこで本発明は、可動搬送路を有する開閉扉を、シート状記録材にジャム状態とすることなく支障なく開放することができるようにした画像形成装置を提供することを目的とする。
【課題を解決するための手段】
【０００７】
上記目的を達成するために、本発明にかかる画像形成装置では、一対の用紙ガイド体を備え、装置本体を開放可能とする開閉扉の内面側に配置されて当該開閉扉と一体的に回動される可動搬送路と、前記装置本体の内部側に固定的に配置された固定搬送路とが連続することにより形成される用紙搬送路を通してシート状記録材を所望の位置まで搬送するように構成されたものであって、前記開閉扉が、前記装置本体の高さ方向に延在する縦方向回転軸を中心として略水平面内において回動可能に取り付けられ、前記用紙搬送路は、前記可動搬送路の幅方向両端縁のうち、前記開閉扉の回動半径方向の外方側に位置する外端側部分に、前記開閉扉の回動半径方向の内方側に位置する内端側部分よりも大きい搬送隙間が形成される位置関係でシート状記録材を搬送し、更に、前記可動搬送路の前記一対の用紙ガイド体のうち、前記開閉扉を開放したときに外方に位置する用紙ガイド体は、当該用紙ガイド体の上端側で前記可動搬送路の幅方向に延在する回動支軸から下方側に垂下するように配置され、且つ前記回動支軸を中心に前記一対の用紙ガイド体のうちの他方の用紙ガイド体に対して離間する方向に揺動可能である。
【０００８】
このような構成を有する画像形成装置によれば、開閉扉とともに可動搬送路を開放してジャム処理を行う際に、装置本体側の固定搬送路にシート状記録媒体が把持された状態となっていることによりシート状記録媒体が相対的に可動搬送路の回動半径方向外方側に移動しても、その可動搬送路の外端縁側に余裕空間として設けられた搬送外方隙間Ｌａによって上述したシート状記録媒体の相対移動分が許容されることとなり、当該シート状記録媒体は、従来のような可動搬送路に対する噛み込み等によるジャム状態を生じることなく可動搬送路を円滑にすり抜けていくようになっている。
【０００９】
また、本発明にかかる画像形成装置では、前記可動搬送路の搬送幅が搬送方向に沿って変化するものであって、前記搬送外方隙間Ｌａは、可動搬送路の搬送幅が最小となる位置に対応して設定されていることから、可動搬送路の全体にわたってシート状記録媒体が円滑にすり抜けていくようになっている。
【００１０】
また、本発明にかかる画像形成装置では、前記可動搬送路を構成している用紙ガイド体が、前記開閉扉の解放時に前記シート状記録材の表面から離間可能となるように前記シート状記録材の略幅方向に延在する回転横軸に揺動可能に支持されている。
【００１１】
このような構成を有する画像形成装置によれば、シート状記録媒体が可動搬送路からすり抜けていく際に、可動搬送路を構成している用紙ガイド体が開放方向に揺動されることによってシート状記録媒体のすり抜けがさらに良好に行われるようになっている。
【００１２】
また、本発明にかかる画像形成装置では、請求項１の固定搬送路の幅方向両端縁のうち、前記開閉扉の回動半径方向外方側に位置する外端縁から前記シート状記録材の側端縁に至るまでの搬送外方隙間が、前記開閉扉の回動半径方向内方側に位置する前記固定搬送路の内端縁から前記シート状記録材の側端縁に至るまでの搬送内方隙間よりも大きくなるように設定されている。
【００１３】
このような構成を有する画像形成装置によれば、シート状記録媒体が固定可動搬送路からすり抜けていくような事態が発生しても、その固定用紙搬送路の外端縁側に余裕空間として設けられた搬送外方隙間Ｌａ’によってシート状記録媒体の相対移動分が許容されることとなり、当該シート状記録媒体は、固定搬送路に対する噛み込み等によるジャム状態を生じることなく固定搬送路を円滑にすり抜けていくようになっている。
【発明の効果】
【００１４】
以上述べたように本発明にかかる画像形成装置は、装置本体の開閉扉の内面側に設けた可動搬送路の回動半径方向外端縁からシート状記録材の側端縁に至るまでの搬送外方隙間Ｌａを搬送内方隙間Ｌｂよりも大きく（Ｌａ＞Ｌｂ）設定したことによって、開閉扉とともに可動搬送路を開放してジャム処理を行う際におけるシート状記録媒体の相対移動を許容することにより、可動搬送路に対するシート状記録媒体のすり抜け動作を円滑に行わせてシート状記録媒体の噛み込み等によるジャム状態の発生を防止するように構成したものであるから、可動搬送路を有する開閉扉の開放動作を支障なく行わせることができ、画像形成装置の信頼性を低コストで大幅に向上させることができる。
【発明を実施するための最良の形態】
【００１５】
以下、本発明の実施形態を図面に基づいて詳細に説明するが、それに先立って、本発明を適用する画像形成装置の一例として、マルチファンクションプリンタを例にとって全体構造を概説しておく。
【００１６】
図１に示されているマルチファンクションプリンタ１０においては、例えば外部のコンピュータから送られてくる画像情報や原稿読み取り部２５で取り込んだ画像情報が、画像処理手段によって受信されると、その受信された画像情報は、レーザー発光書込部１１により光変調情報１１ａに変換され射出される。レーザー発光書込部１１から射出された光変調情報１１ａは、紙面垂直方向に走査されながら、プロセスカートリッジ１２内に像担持体として設けられた感光ドラム１２１上にスポット状に結像される。その回転されることによって副走査方向に移動される感光ドラム１２１上に照射された光スポットは、主走査方向（軸方向）に往復走査され、それによって当該感光ドラム１２１上に、上述した原稿画像情報に対応した静電潜像が形成される。そして、その感光ドラム１２１上の静電潜像に対して、同じくプロセスカートリッジ１２内に一体的に設けられた現像装置１２２から現像剤（トナー）が供給されることによって未定着トナー像が形成されるようになっている。
【００１７】
このとき、上述したプロセスカートリッジ１２は、感光ドラム１２１を含むクリーナー容器１２３と現像装置１２２が図示を省略した適宜の着脱機構を介して、略水平方向（図示前後方向）に移動されることにより個々に着脱される構成になされている。
一方、装置本体部の下部側には、規定のサイズに裁断された記録紙等のシート状記録媒体を給送するメイン給紙ユニット１３が配置されている。このメイン給紙ユニット１３を構成している箱状のカセット収容体１３ａは、装置本体に対して図示前後方向に着脱自在となるように装着されており、そのカセット収容体１３ａの内部に設けられた中支持板１３ｂの上面側に対して、図示を省略した適宜のサイズの記録紙が積層状に蓄えられるようになっている。そして、そのシート状記録媒体の積層方向における最下面が上記中支持板１３ｂにより支持されるとともに、その中支持板１３ｂが給紙加圧バネ１３ｃにより上方側に向かって付勢されていることによってシート状記録媒体が上方に持ち上げられた状態に保持されるようになっている。
【００１８】
また、上述したカセット収容体１３ａの内部側の上方位置には、板状部材からなるセンサフラグ１３ｄが上下方向に揺動するように配置されており、そのセンサフラグ１３ｄの下端部分が、上記カセット収容体１３ａの内部に蓄えられたシート状記録媒体の最上面位置に自重で当接することによって、当該カセット収容体１３ａ内におけるシート状記録媒体の有無が検出されるようになっている。
【００１９】
さらに、上記カセット収容体１３ａの紙送り方向前端部分（図示左端部分）には、半月状部材から形成された給紙ローラ１３ｅが設けられている。この給紙ローラ１３ｅの回転軸に対しては、図示を省略した欠け歯ギアとソレノイドのオン・オフ制御を介して、適宜のタイミングで回転駆動力が断続されるように構成されている。そして、上述した中支持板１３ｂにより上方に持ち上げられるようにして支持されたシート状記録媒体の積層方向における最上面が、上記給紙ローラ１３ｅの外周面に対して下方側から当接された状態で給紙動作が実行されるようになっている。
【００２０】
また、上述した中支持板１３ｂの紙送り方向前端縁（図示左端縁）に対して前方側に隣接するようにしてフィードローラ１３ｆと、そのフィードローラ１３ｆの外周面に対して下方側から圧接するように紙送り方向と常時逆方向に回転するリタードローラ１３ｇが配置されている。
【００２１】
そして、このメイン給紙ユニット１３におけるカセット収容体１３ａ内に積層されたシート状記録媒体は、給紙ローラ１３ｅの回転によってフィードローラ１３ｆとリタードローラ１３ｇの間の圧接ニップ部を通過し、搬送ローラ対１３ｈ、１３ｉを介して給紙通路１４側に送り出されていき、その給紙通路１４に設けられた一対のレジストローラ１５ａ、１５ｂのニップ部に突き当てられることによって適宜のタイミングをとられながら、上述した感光ドラム１２１と対面する転写領域に送り込まれていく構成になされている。
【００２２】
このようなメイン給紙ユニット１３の左側には、給紙カセットと同じサイズの記録媒体に加えて給紙カセットとは異なるサイズのシート状記録媒体を給紙可能としたマルチ給紙ユニット１６が設けられている。このマルチ給紙ユニット１６は、マルチ用紙トレイ１６ａを開放することによって使用可能となる構成になされており、その開放されたマルチ用紙トレイ１６ａ上に各種のシート状記録媒体を積層状に積載する。
【００２３】
このマルチ用紙トレイ１６ａは、紙送り方向の前方側（図示右方側）に向かって、緩やかな傾斜をなすようにして延在しているが、当該マルチ用紙トレイ１６ａの延在方向に連続するようにして回動可能なマルチ中板１６ｂが配置されている。マルチ中板１６ｂの前端部分（図示右端部分）には、円筒状部材から形成されたマルチ給紙ローラ１６ｃが設けられている。このマルチ給紙ローラ１６ｃの回転軸には、図示を省略した電磁クラッチを介して駆動源が接続されており、その電磁クラッチのオン・オフ動作によって、上記マルチ給紙ローラ１６ｃに対して適宜のタイミングで回転駆動力が断続されるように回転制御が行われている。
【００２４】
さらに、上述したマルチ中板１６ｂの紙送り方向前端縁（図示右端縁）の前方側に隣接するようにして、薄板状部材からなる分離パッドが粘着された分離揺動台１６ｄが、上記マルチ給紙ローラ１６ｃの外周面に対して下方側から圧接するように配置されている。この分離揺動台１６ｄは、上述したマルチ給紙ローラ１６ｃの直下位置において上下動するように配置されており、その分離揺動台１６ｄが、分離加圧バネ１６ｅにより上方に向かって付勢されることによって、上述したマルチ給紙ローラ１６ｃの下面側に分離揺動台１６ｄが常時圧接された状態に維持されている。
【００２５】
そして、上述したマルチ用紙トレイ１６ａ上に積載された各種シート状記録媒体は、上記マルチ給紙ローラ１６ｃの回転駆動によって、前記分離パッドとの間のニップ部を通過して一枚ずつ分離された後、前述した給紙通路１４側に向かって送り出されていき、既に述べたメイン給紙ユニット１３のカセット収容体１３ａ  の場合と同様にして、一対のレジストローラ１５ａ，１５ｂに突き当てられて適宜のタイミングをとられながら感光ドラム１２１と対面する転写領域に送り込まれていくようになっている。
【００２６】
このようなマルチ用紙トレイ１６ａ上にシート状記録媒体をセットするにあたっては、図示しないカムがマルチ中板１６ｂを下方に押し下げて解除状態とし、そのマルチ中板１６ｂをマルチ給紙ローラ１６ｃから下方側に離間させることによって、これら両部材１６ｂ，１６ｃどうしの間に適宜の隙間を形成することが必要となる。
【００２７】
一方、上述した感光ドラム１２１の転写領域には、当該感光ドラム１２１の表面に接触するようにして接触転写体としての転写ローラ１７が接触するように配置されている。この転写ローラ１７には転写バイアスが印加され、その転写バイアスによって、上述した感光ドラム１２１上に形成された未定着トナー像がシート状記録媒体上に静電的に転写されるようになっている。さらに、転写後において上記感光ドラム１２１上に残留するトナーは、当該感光ドラム１２１の表面上に圧接するように配置されたクリーニングブレード１２４の摺接力により掻き落とされてクリーナー容器１２３に収容されるようになっている。
【００２８】
さらに、上述した転写作用によって未定着トナーを担持したシート状記録媒体は、上述したプロセスカートリッジ１２の上方位置に隣接するように配置された定着装置１８に向かって搬送される。当該定着装置１８には、加熱手段としての定着フィルム１８ａが環状をなすように配置されているとともに、その定着フィルム１８ａに対面する対向手段として加圧ローラ１８ｂが配置されている。そして、それらの定着フィルム１８ａおよび加圧ローラ１８ｂのニップ部における加圧・加熱作用に基づく定着作用によって、上記シート状記録媒体（被加熱材）上の未定着トナーが融解され、シート状記録媒体上にトナー像が固定され定着されるようになっている。
【００２９】
また、このような加熱定着動作によってトナー像を固定されたシート状記録媒体は、定着装置１８の出口部から装置上方側に配置された排紙部２０に設けられた排紙通路２１内に送り出された後、その排紙通路２１に設けられた排紙ローラ２２の排出搬送作用によって、装置本体部の上位置に設けられた排紙トレイ２３上に排出されるように構成されている。
【００３０】
さらに、このような構成を備えた装置本体の一側（図１の左面側）には、後述する開閉扉５０の内面側に両面搬送路３０が配置されている。この両面搬送路３０においては、片面側に所望の画像を形成された記録紙などのシート状記録媒体が排紙口切換え板２４により排紙反転路３１に搬送されるように構成されているとともに、図示を省略したモータの制御により反転ローラ３２が適宜に反転されたシート状記録媒体が、搬送路切換え板３３により当該両面搬送路３０に搬送される構成になされている。
【００３１】
上述した両面搬送路３０の途中位置には、図示上方側から下方側に向かうシート状記録媒体の搬送方向に沿って、複数（２対）の両面搬送ローラ３４，３５が順に設けられており、それらの各両面搬送ローラ３４，３５の搬送作用によって、両面搬送路３０内に送り込まれたシート状記録媒体が、表裏を反転されるようにして上述した給紙通路１４に再び送り込まれるように搬送されるようになっている。  
【００３２】
またさらに、排紙通路２１から排出口を排紙部２０と第２の排紙部４０とに切替える搬送路切替えフラッパ４１に排出口をそれぞれ切替えることができ、第２の排紙部４０へ進むと搬送ローラ対４２、４３で搬送され、第２の排紙口センサー４４にて用紙の到着を検知し、排出ローラ対４５によって排出され、第２の排紙トレイ４７上に排出積載される。そして、積載が増えていくと排出紙の高さを検知する満載検知センサー４６により満載検知をおこない。必要以上に積載し過ぎて積載不良及び積載の順序が換わってしまうような問題を防止している。
【００３３】
ここで、上述した定着装置１８には、加熱手段としての定着フィルム１８ａと、この定着フィルム１８ａの対向手段としての加圧ローラ１８ｂとが、周知の構成と同様にして第１位置としての圧接位置と、第２位置としての解除（離間）位置との間で回動による変位可能な構成が採用されている。そして、図２に示された前記第１位置においては、加圧手段としての加圧バネ１８ｃからの付勢力が加圧作動フレーム１８ｄを介して伝達されることによって前記定着フィルム１８ａと加圧ローラ１８ｂとが圧接された状態に保持されるようになっている。
【００３４】
また、このような定着装置１８には、前記定着フィルム１８ａと加圧ローラ１８ｂとを互いに離間させて第２位置としての解除位置に変位させる加圧解除手段が設けられている。この加圧解除手段の基本的な構成は周知であるので詳細な説明は省略するが、当該加圧解除手段に設けられた加圧解除レバー１８ｅの回動操作によって、前記加圧ローラ１８ｂが第１位置としての前記定着フィルム１８ａに対する圧接位置から、第２位置としての解除位置に変位されるように構成されている。この加圧解除手段は、前記第１位置では定着フィルム１８ａと加圧ローラ１８ｂとの圧接状態を許容し、第２位置においては前記加圧手段としての加圧バネ１８ｃの付勢力に抗して前記定着フィルム１８ａと加圧ローラ１８ｂとの圧接力を解除または緩和して、その状態を保持する構成になされている。
【００３５】
ここで、上述した両面搬送路３０は、特に図２に示されているような開閉扉５０の内面側に配置されている。この開閉扉５０は、前記両面搬送路３０の奥側端縁に隣接して装置本体の高さ方向に延在する縦方向回転軸（図示省略）に回動可能に取り付けられており、その縦方向回転軸を中心にして略水平面内で回動するように構成されている。すなわち、前記両面搬送路３０は、前記開閉扉５０とともに一体的に回動する可動搬送路として設けられており、装置本体の内部側に前記定着装置１８を含むように固定的に設けられた固定搬送路と連続することによって、前記定着装置１８を通されたシート状記録材を排紙部側に向かって搬送する構成になされている。
【００３６】
ここで本実施形態では、前記可動搬送路としての両面搬送路３０の搬送幅が、シート状記録材の幅寸法に対して以下のように設定されている。すなわち、図３に示されているように、前記両面搬送路３０の搬送幅が最小となる位置における当該両面搬送路３０の幅方向における両側端縁をそれぞれ３０Ａ，３０Ｂとしたとき、それら両側端縁３０Ａ，３０Ｂのうち、前記開閉扉５０の回動半径方向外方側（図３の左方側）に位置する外端縁３０Ａからシート状記録材Ｐの側端縁Ｐ１に至るまでの搬送隙間を「Ｌａ」、前記開閉扉５０の回動半径方向内方側に位置する内端縁３０Ｂからシート状記録材Ｐの側端縁Ｐ２に至るまでの搬送隙間を「Ｌｂ」とすると、本実施形態では、前記外端側の搬送隙間「Ｌａ」が、内端側の搬送隙間「Ｌｂ」よりも大きく（Ｌａ＞Ｌｂ）なるように設定されており、両面搬送路３０外端側部分に空間的に拡大された搬送隙間が形成されている。
【００３７】
このとき、上述した可動搬送路としての両面搬送路３０は、一対の用紙ガイド体で挟まれるようにして構成されているが、前記開閉扉５０を開放したときに外方に露出する用紙ガイド体３０ａは、当該用紙ガイド体３０ａの図１上端側に配置された回動支軸３０ｂにより回動自在に保持されており、その回動支軸３０ｂから図示下方側に垂下するように配置された用紙ガイド体３０ａは、前記回動支軸３０ｂを中心にして自由揺動可能な構成になされている。すなわち、前記開閉扉５０を開放状態としたときに、前記両面搬送路３０の用紙ガイド体３０ａを開放側に揺動させることとすれば、前記両面搬送路３０の内部通路が容易に開放されるようになっている。
【００３８】
さらに本実施形態では、装置本体の内部側に設けられた定着装置１８の内部に配置された固定搬送路においても、上述した両面搬送路３０の搬送幅と同様の構成が採用されている。すなわち、前記定着装置１８の内部に設けられている固定搬送路において、当該固定搬送路の幅方向における両端縁のうち、前記開閉扉５０の回動半径方向外方側に位置する外端縁からシート状記録材の側端縁に至るまでの搬送外方隙間が、前記開閉扉５０の回動半径方向内方側に位置する内端縁から前記シート状記録材の側端縁に至るまでの搬送内方隙間よりも大きくなるように設定されている。
【００３９】
このような構成を有する本実施形態によれば、開閉扉５０とともに可動搬送路としての両面搬送路３０を開放してジャム処理を行う際に、装置本体側の固定搬送路にシート状記録媒体Ｐが把持された状態となっていることによりシート状記録媒体Ｐが相対的に両面搬送路３０の回動半径方向外方側に移動しても、その両面搬送路３０の外端縁側に余裕空間として設けられた搬送外方隙間Ｌａによって上述したシート状記録媒体Ｐ１の相対移動分が許容されることとなり、当該シート状記録媒体Ｐ１は、従来のような可動搬送路に対する噛み込み等によるジャム状態を生じることなく可動搬送路を円滑にすり抜けていくようになっている。
特に本実施形態では、前記搬送外方隙間Ｌａを有する前記可動搬送路としての両面搬送路３０は、搬送幅が最小となる位置に対応しているとともに、可動搬送路としての両面搬送路３０を構成している用紙ガイド体３０ａが、シート状記録材Ｐ１の表面から離間可能となるように前記シート状記録材Ｐ１の略幅方向に延在する回転横軸に揺動可能に支持されていることから、当該両面搬送路３０の全体にわたってシート状記録媒体Ｐ１が、さらに円滑にすり抜けていくようになっている。
【００４０】
また、本実施形態では、定着装置１８の固定搬送路においても、上述した両面搬送路３０の搬送幅と同様の構成が採用されていることから、装置本体側の固定搬送路においてもシート状記録媒体Ｐ１のすり抜けが円滑に行われるようになっている。
【００４１】
以上、本発明者によってなされた発明の実施形態を具体的に説明したが、本発明は上記実施形態に限定されるものではなく、その要旨を逸脱しない範囲で種々変形可能であることはいうまでもない。
【００４２】
例えば、上述した各実施形態は、プリンタに対して本発明を適用したものであるが、複写機等の他の画像形成装置に対しても本発明は同様に適用することができるものである。
【産業上の利用可能性】
【００４３】
以上述べた本発明にかかる画像形成装置は、プリンタなどの画像形成装置を始めとして、複写機等の多種多様な画像形成装置に対して広く適用することが可能である。
【図面の簡単な説明】
【００４４】
【図１】本発明を適用したプリンタの内部概略構造を表した側面説明図である。
【図２】図１に示されたプリンタに設けられている開閉扉を開放した状態を表した外観斜視説明図である。
【図３】開閉扉の内部側に設けられた両面搬送路の正面説明図である。
【符号の説明】
【００４５】
１０  マルチファンクションプリンタ（画像形成装置）
１１  レーザー発光書込部
１２  プロセスカートリッジ
１２１  感光ドラム
１２２  現像装置
１３  メイン給紙ユニット
１４  給紙通路
１５  レジストローラ
１６  マルチ給紙ユニット
１７  転写ローラ
１８  定着装置  
１８ａ  定着フィルム（加熱手段）
１８ｂ  加圧ローラ（対向手段）
２０  排紙部
２１  排紙通路
２２  排紙ローラ
２３  排紙トレイ
２４  排紙口切り換え板
２５  原稿読み取り部
３０  両面搬送路
３０Ａ  外端縁
３０Ｂ  内端縁
３０ａ  用紙ガイド体
３０ｂ  回動支軸
３１  反転搬送通路
３２  排紙反転ローラ
３３  搬送路切り換え板
３４，３５  両面搬送ローラ
５０  開閉扉
Ｐ  シート状記録材
Ｐ１，Ｐ２側端縁
Ｌａ，Ｌｂ  搬送隙間
【図１】
0004812403.tif 000002
【図２】
0004812403.tif 000003
【図３】
0004812403.tif 000004